(57)【要約】【課題】撮影時または撮影後に画像内の被写体の大きさを容易に推察することを可能にした撮像装置を提供する。【解決手段】ズーム機能を備えた撮像手段１０２と、被写体までの距離を測定する測距手段１０と、ズーム機能から得えられる倍率データと測距手段から得られる測距データとに対応させて、各種大きさの既知物品のイラストを保存したイラスト保存手段（イラスト保存用メモリ２１）と、イラスト保存手段に保存された既知物品のイラストから、倍率データと測距データとに対応した既知物品のイラストを選択するイラスト選択手段（図示省略）と、イラスト選択手段が選択した既知物品のイラストを、撮像手段が撮像した被写体画像に合成するイラスト合成手段３０と、イラスト合成手段が合成した画像を表示する画像表示手段１０８とを有する。【選択図】　　図１
2004064504.tif 000002
【特許請求の範囲】
【請求項１】
光学的またはデジタル的なズーム機能を備えた撮像手段と、被写体までの距離を測定する測距手段と、
前記ズーム機能から得えられる倍率データと前記測距手段から得られる測距データとに対応させて、各種大きさの既知物品のイラストを保存したイラスト保存手段と、
該イラスト保存手段に保存された前記既知物品のイラストから、前記倍率データと測距データとに対応した既知物品のイラストを選択するイラスト選択手段と、
該イラスト選択手段が選択した既知物品のイラストを、前記撮像手段が撮像した被写体画像に合成するイラスト合成手段と、
該イラスト合成手段が合成した画像を表示する画像表示手段と
を有することを特徴とする撮像装置。
【請求項２】
請求項１記載の撮像装置において、
前記画像表示手段に表示した被写体画像に対し、前記既知物品のイラストを表示する位置を任意に設定可能にしたことを特徴とする撮像装置。
【請求項３】
請求項１記載の撮像装置において、
前記ズーム倍率または測距データの変化による実画面サイズの変化に比例して選択した前記既知物品のイラストを、拡大または縮小して表示可能にしたことを特徴とする撮像装置。
【請求項４】
請求項３記載の撮像装置において、
前記既知物品のイラストの種類と大きさを指定し、測距データに応じてズーム倍率を変化可能にしたことを特徴とする撮像装置。
【発明の詳細な説明】
【０００１】
【発明の属する技術分野】
本発明は、撮像装置に関し、特に、撮影時または撮影後に画像内の被写体の大きさを容易に推察することを可能にした撮像装置に関する。
【０００２】
【従来の技術】
図１５は、従来の一般的なデジタルカメラＤＣ０の構成を示すブロック図である。
図１５に示すように、被写体から得られる光信号は、光学レンズ１０１の焦点距離を変化させることによって、被写体の拡大，縮小およびピント調整が行われ、撮像素子１０２上に集光し像を形成する。１０１ａは光学レンズ１０１を駆動するレンズ駆動回路である。
【０００３】
ここに、デジタルカメラのピント調整は、撮像素子１０２に形成された像のコントラストを検出し、最もコントラストの高い位置にレンズを移動させるＣＣＤ−ＡＦ方式が一般的である。一方で、銀塩カメラ時代から用いられてきた測距装置（オートフォーカス）を用いたピント調整を行う機種も次第に増えてきている。測距装置を用いたピント調整の利点は、フォーカス動作の高速化が挙げられる。
【０００４】
前記撮像素子１０２上には、フォトダイオードを規則正しく２次元に配列し、電荷転送路として垂直ＣＣＤ（Ｃｈａｒｇｅ　Ｃｏｕｐｌｅｄ　Ｄｅｖｉｃｅ）と水平ＣＣＤがあり、フォトダイオードの光電変換機能により、入射した光量に応じた電荷を蓄積し、光信号を電気信号に変換する。
撮像素子１０２に入射する光量は、撮像素子１０２手前のメカシャッタ１０３と撮像素子１０２内部の電子シャッタ（図示省略）によって調整が可能である。
１０３ａは、シャッタ駆動回路である。
【０００５】
１個のフォトダイオードは１画素に相当し、一般的にフォトダイオード上には、Ｒ（Ｒｅｄ），Ｇ（Ｇｒｅｅｎ），Ｂ（Ｂｌｕｅ）のいずれか１つのカラーフィルタと、より多くの光を取り込むためにマイクロレンズが取り付けられている。フォトダイオードに蓄積された電荷は、読み出しパルスに従って垂直ＣＣＤに読み出され、垂直ＣＣＤから水平ＣＣＤを通って、水平１ラインずつ出力アンプから出力される。
【０００６】
撮像素子１０２からの信号はＳ／Ｈ回路１０４に入力し、サンプルホールドされて、各画素に対応したデータが抽出される。Ａ／Ｄ回路１０５では、Ｓ／Ｈ回路１０４からのアナログ信号をデジタル信号に変換する。Ａ／Ｄ回路１０５からの信号は、画像データコントローラ１０６に入力し画像処理が行われる。画像処理時のデータの一時的な記憶場所としてＤＲＡＭ１０７が用いられている。
【０００７】
画像データコントローラ１０６での処理内容は、図１６にて後述する。画像データコントローラ１０６では、撮像中及び撮像した画像を画像表示装置１０８用に信号変換を行ったのち、表示する。画像圧縮回路１０９では、画像データをＪＰＥＧなどのフォーマット規格に準拠した圧縮／伸張を行い、その後画像記録メディア（スマートメディア，コンパクトフラッシュ（登録商標）など。何れも商品名）１１０に保存する。画像表示装置１０８は、例えばＬＣＤ（液晶）からなる。
【０００８】
ＥＥＰＲＯＭ（電気的消去およびプログラム可能なＲＯＭ）１１１には、装置（デジタルカメラＤＣ０）を最適に動作させるためのプログラムやデータが保存されており、システムコントローラ１１２は操作スイッチ１１３などから得られる信号に応じてＥＥＰＲＯＭ１１１からデータを読み出し、システム制御を行っている。ここで操作スイッチ１１３には、レリーズスイッチ，電源スイッチ，撮影／再生モード切り換えなどが含まれる。
タイミング発生器１１４は、撮像素子１０２，Ｓ／Ｈ回路１０４，Ａ／Ｄ回路１０５，画像データコントローラ１０６の動作タイミングを制御している。
【０００９】
図１６は、一般的なデジタルカメラの画像処理ブロック図である。図１５のＡ／Ｄ回路１０５から出力されたデジタルデータが、画像データコントローラ１０６に入力すると、まずＲＧＢ補間処理が行われる。
一般にフォトダイオード上には、１色のカラーフィルタが付いているため、１画素に対してＲ，Ｇ，Ｂのいずれか１つの色しかデータを保持していない。そのため、周りの画素の情報から演算で残りの２色の補間（Ｒ，Ｇ，Ｂ補間１０６ａ）を行う。次に、ガンマ補正１０６ｂを行い画像のトーン（階調）の調整を行う。その後、画像表示用と画像保存用に、ＲＧＢ信号をＹＵＶ変換１０６ｃによって輝度信号（Ｙ）と色差信号（Ｕ，Ｖ）に変換する。この他にも画像のエッジ部分を処理して画像にメリハリをつけるエッジ強調を行っているものもある。
【００１０】
ところで、近年のデジタルカメラなどの電子画像撮像装置の普及により、撮影画像を液晶モニタですぐに確認できることで撮影ミスが減り、また自分で手軽に画像加工やプリントができ、画像を扱う機会が増えてきている。
しかし、モニタに表示された画像やプリントされた画像を見たとき、そこに写されている物体の長さや大きさを容易に類推することは難しい。特に最近では高倍率ズーム機能を備えたものも多くなり、例えば、被写体が小石なのかそれとも巨大な岩なのかを判断するのも難しい。
これに対して特開平６−３５０９０１号公報などでは、スケールを表示させて被写体の大きさを認識させることが提案されている。
【００１１】
【発明が解決しようとする課題】
しかしながら、前記特開平６−３５０９０１号公報の提案は、スケール表示機能は詳細な大きさを判断することに優れているが、直感的な大きさの判断に適しているとは言えない。また、電子画像撮像装置の小型化に伴い一般的に画像表示装置１０８は小さいため、詳細な情報を確認することが困難であるという問題がある。
【００１２】
本発明は、上記の事情にかんがみなされたもので、撮影時または撮影後に画像内の被写体の大きさを容易に推察することを可能にした撮像装置の提供を目的とする。
【００１３】
【課題を解決するための手段】
上記目的を達成するため請求項１記載の発明は、光学的またはデジタル的なズーム機能を備えた撮像手段（図１の撮像素子１０２）と、
被写体までの距離を測定する測距手段（図１の測距装置１０）と、
前記ズーム機能から得えられる倍率データと前記測距手段から得られる測距データとに対応させて、各種大きさの既知物品のイラストを保存したイラスト保存手段（図３のイラスト保存用メモリ）と、
該イラスト保存手段に保存された前記既知物品のイラストから、前記倍率データと測距データとに対応した既知物品のイラストを選択するイラスト選択手段（図３のイラスト選択部２２）と、
該イラスト選択手段が選択した既知物品のイラストを、前記撮像手段が撮像した被写体画像に合成するイラスト合成手段（図１の画像合成用ＤＲＡＭ３０）と、
該イラスト合成手段が合成した画像を表示する画像表示手段（図１の画像表示装置１０８）とを有する構成としてある。
【００１４】
このようにすれば、例えば図６に示すように、モニタリング画像（アナログ式掛時計）に大きさの既知な物品のイラスト（タバコの箱）を合成して表示することにより、ユーザーは表示された既知物品のイラスト（タバコの箱）と被写体（アナログ式掛時計）の大きさを比較することができるので、容易に被写体（アナログ式掛時計）の大きさを判断することができる。
【００１５】
次に請求項２記載の発明は、請求項１記載の撮像装置において、
前記画像表示手段に表示した被写体画像に対し、前記既知物品のイラストを表示する位置を任意に設定可能にした構成としてある。
このようにすれば、大きさの既知な物品のイラストの表示位置をユーザーが任意に設定できることにより、既知物品のイラストと被写体の大きさを比較したいとき、既知物品のイラストを被写体に近づけることができ、容易に大きさを比較することができる。
【００１６】
次に請求項３記載の発明は、請求項１記載の撮像装置において、
前記ズーム倍率または測距データの変化による実画面サイズの変化に比例して選択した前記既知物品のイラストを、拡大または縮小して表示可能にした構成としてある。
このようにすれば、実画面サイズの変化に応じて既知物品のイラストサイズを対応させて変化させることにより、ユーザーは状況にあった被写体の大きさを確認することができる。
【００１７】
次に請求項４記載の発明は、請求項３記載の撮像装置において、
前記既知物品のイラストの種類と大きさを指定し、測距データに応じてズーム倍率を変化可能にした構成としてある。
このようにすれば、既知物品のイラストの種類とイラストサイズの入力から実画面サイズを調整することができるので、ユーザーは自らが希望する被写体の大きさで容易に撮影することができる。
【００１８】
【発明の実施の形態】
以下、本発明を図示の実施形態に基づいて説明する。
図１は、以下に説明する各実施形態を適用する「被写体の大きさを認識できる機能を有する」デジタルカメラＤＣの基本構成のブロック図である。なお、既に説明済みの箇所には同一符号を付し、重複説明を省略する。
デジタルカメラＤＣを前記図１５の一般的なデジタルカメラＤＣ０の構成例と比較すると、新たに測距装置１０とイラスト調整回路２０と画像合成用ＤＲＡＭ３０が追加されている点が異なる。
【００１９】
一般的に、測距装置１０にはアクティブ方式とパッシブ方式があり、アクティブ方式は、音波や赤外線を被写体に照射し、その跳ね返りの時間や角度から距離を測り、パッシブ方式は、レンズ付きのラインセンサに光を受けて光の入射角度から距離を測る。以下の各実施形態ではどちらの方式でも利用可能である。
イラスト調整回路２０は、システムコントローラ１１２から入力信号を得て、画像合成用ＤＲＡＭ３０とデータのやりとりを行う。
画像合成用ＤＲＡＭ３０は、ＤＲＡＭ１０７内に含まれてもよい。
【００２０】
以下、各実施形態を説明する。
（１）第１の実施形態…請求項１に対応
本実施形態は、図６に示すように、モニタリング画像（例えばアナログ式掛時計）に大きさの既知な物品のイラスト（例えばタバコの箱）を合成表示することにより、ユーザーは表示された既知物品のイラスト（以下、単に「イラスト」と記す）と被写体の大きさを比較することで、容易に被写体の大きさを判断することができるようにした場合である。
【００２１】
図２は、本実施形態における、被写体の大きさを判断するためのイラスト表示処理を含む一連の処理を示したフローチャートである。ここに、イラスト表示処理とは、例えば図６の「合成したモニタリング画像」に示すように、被写体（アナログ時計）とイラスト（タバコの箱）とを同時に画像表示装置に表示することをいう（後述）。
【００２２】
図２に示すように、ユーザーは、まずイラスト表示をするかどうかのモード選択を行う。モード選択手段は、ハード的に専用の操作スイッチ１１３に設けてもよいし、ソフト的に画像表示装置１０８に設定メニューを表示し、選択する形式にしてもよい。
ユーザーがイラスト表示モードを選択すると（ステップＳ１：ＹＥＳ）、カメラは、現在の被写体からカメラまでの距離を測距装置１０で測定し、その測距結果を測距データとしてシステムコントローラ１１２からイラスト調整回路２０に入力する。また、現在のカメラのズーム倍率も倍率データとしてシステムコントローラ１１２から取得し、イラスト調整回路２０に入力する（ステップＳ２）。
【００２３】
図３は、本実施形態におけるイラスト調整回路２０Ａとその周辺部のブロック図である。
イラスト調整回路２０Ａは、イラスト保存用メモリ２１とイラスト選択部２２を備えて構成されている。
イラスト保存用メモリ２１は図１で示したＥＥＰＲＯＭ１１１でも代用できる。イラスト保存用メモリ２１には、被写体からカメラまでの距離とズーム倍率に対応させた幾つかの大きさのイラスト（例えば、タバコの箱など）を予め保持させておく。そして、システムコントローラ１１２から取得した測距データと倍率データをもとに対応するイラストの選択を行う（ステップＳ３）。
【００２４】
図４は、被写体からカメラまでの距離（測距データ）とズーム倍率（倍率データ）に対応させた既知物品のイラストの一例である。
例えば、現在の被写体とカメラの距離（測距データ）が１．６ｍで、ズーム倍率（倍率データ）が２．３倍のとき、２つのデータ（１．６ｍ，２．３倍）より「タバコの箱（Ｂ）」のイラストがイラスト選択部２２で自動的に選択され、画像合成用ＤＲＡＭ３０に呼び出され、画像合成用ＤＲＡＭ３０でタバコの箱と被写体（アナログ式掛時計）を合成する。
【００２５】
イラストとしては、例えばタバコの箱（縦長：約９０ｍｍ）、マッチ棒（縦長：約５０ｍｍ）、標準の８０円切手（縦長：約２５ｍｍ）のように、カメラのユーザーが既知物品の大きさを十分認識している物であることが望ましい。なお、既知物品のイラストには、例えば東京タワーのように、ユーザーがその大きさを認識している建造物を含むものとする。
また、画像表示装置１０８でモニタリングするモニタリング画像（例えば、アナログ式掛時計の画像）の生成フローは、図１で示した撮像素子１０２で像を形成し、Ｓ／Ｈ回路１０４でサンプルホールドを行い、Ａ／Ｄ回路１０５でアナログ信号からデジタル信号に変換し、画像データコントローラ１０６で画像処理して画像表示装置１０８に表示する。
【００２６】
画像データコントローラ１０６での画像処理内容は、図５のブロック図に示すように、ＤＲＡＭ１０７を一時的な記憶場所としてモニタリング画像用にライン間引き処理１０６ｄ，ＲＧＢ補間１０６ａ，ガンマ補正１０６ｂ，ＹＵＶ変換１０６ｃを行い、モニタリング画像を画像合成用ＤＲＡＭ３０に記録する。
画像合成用ＤＲＡＭ３０内のモニタリング画像（アナログ式掛時計）と選択したイラスト画像（タバコの箱（Ｂ））は、図６に示すように画像を重ねて画像合成を行い（ステップＳ４）、画像表示装置１０８に表示する（ステップＳ５）。
【００２７】
また、前記ステップＳ１において、ユーザーがイラスト表示モードを選択しない場合には（ステップＳ１：ＮＯ）、イラスト表示をしないで、通常通り被写体のみを画像表示装置１０８に表示しての撮影を行う。
このようにすれば、モニタリング画像（アナログ式掛時計）に大きさの既知な物品のイラスト（タバコの箱（Ｂ））を表示することにより、ユーザーは表示されたイラストと被写体の大きさを比較することで、容易に被写体の大きさを判断することができる。
【００２８】
（２）第２の実施形態…請求項２に対応
本実施形態は、大きさの既知なイラスト（例えば、タバコの箱）の表示位置をユーザーが任意に設定できるようにし、イラストと被写体の大きさを比較したいときに、イラストを被写体に近づけることができ、容易に大きさを比較することができるようにした場合である。
図７は、本実施形態における、イラスト表示位置をユーザーが任意に指定できる処理を含む一連の処理を示したフローチャートである。また図８は、本実施形態におけるイラスト調整回路２０Ｂのブロック図である。
【００２９】
図７において、ステップＳ１１〜Ｓ１３までは、前記第１の実施形態におけるステップＳ１〜Ｓ３の処理と同一である。
次いで、イラスト選択終了後でモニタリング画像と選択したイラストの合成を行うとき（ステップＳ１４）、ユーザーが任意にイラストの表示位置を指定できるように、図１で示したＥＥＰＲＯＭ１１１などカメラ内にイラスト表示位置情報をデフォルト値として予め設定しておく。そして、最初にデフォルトの位置にイラストを点滅あるいはゴースト（通常の表示より薄い）表示など、現在の表示位置が一時的であることが認識できるような形態で表示する（ステップＳ１５）。
【００３０】
ここで、表示するのは既知物品のイラストに限らず、イラストの大きさが分かる矩形のようなものであってもよい。その後、ユーザーに表示位置の入力を求めるメッセージを表示し、ユーザーの操作スイッチ１１３によるイラスト表示位置情報の入力に従って、イラスト表示位置を画像表示装置１０８上で確認できるようにしてもよい。
【００３１】
ユーザーの操作スイッチ１１３による位置決定情報の入力でイラスト表示位置を決定させ（ステップＳ１６）、イラストを決定した表示位置に通常の状態（点滅，ゴーストではない状態）で表示する。
次いで、第１の実施形態と同様に画像合成を行い（ステップＳ１７）、画像表示装置１０８に画像を表示する（ステップＳ１８）。
なお、最初にイラストを表示する位置のデフォルト値は、ユーザーが入力した位置情報を指定できるようにしてもよい。
【００３２】
また、前記ステップＳ１１において、ユーザーがイラスト表示モードを選択しない場合には（ステップＳ１１：ＮＯ）、イラスト表示をしないで、通常通り被写体のみを画像表示装置１０８に表示しての撮影を行う。
このようにすれば、大きさの既知なイラスト（例えば、タバコの箱）の表示位置をユーザーが任意に設定できるので、イラストと被写体の大きさを比較したいときにイラストを被写体に近づけることができ、容易に大きさを比較することができる。
【００３３】
（３）第３の実施形態…請求項３に対応
本実施形態は、実画面サイズ（後述）の変化に応じてイラストサイズを対応させて変化させることにより、ユーザーが状況にあった被写体の大きさを確認することができるようにした場合である。
図９は、本実施形態における、ズーム倍率に応じてイラストサイズを変化させる処理を含む一連の処理を示したフローチャートである。図１０は本実施形態におけるイラスト調整回路２０Ｃのブロック図である。
【００３４】
図９に示すように、まずユーザーがイラスト表示モードを選択すると（ステップＳ２１：ＹＥＳ）、カメラは測距データと倍率データをイラスト調整回路２０Ｃに入力する（ステップＳ２２）。イラスト調整回路２０Ｃは、前述のイラスト保存用メモリ２１，イラスト選択部２２に加えて、実画面サイズ比較部２３とイラストサイズ調整部２４を備えて構成されている。
【００３５】
イラスト調整回路２０Ｃに入力した測距データと倍率データは、実画面サイズ比較部２３で実画面サイズを算出する（ステップＳ２３）。実画面サイズとは、実際に撮像素子に画面として写り込む画像の範囲であり、本実施形態では、図１１に示すように、実画面サイズの対角線長を用いて実画面サイズとする。実画面サイズを算出すると、１回目はイラストの初期表示を行うために、実画面サイズデータをイラスト選択部２２に入力する（ステップＳ２４）。
【００３６】
実画面サイズの対角線長Ｘは、次式により算出する。
Ｘ＝Ｌ・ｘ／ｆ
ｘ：撮像素子の対角線長
ｆ：焦点距離
Ｌ：撮影距離
イラスト保存用メモリ２１には、実画面サイズに対して適応範囲を定めた幾つかの大きさの既知なイラストを指定した大きさで、１つずつ保持させておく。
【００３７】
図１２に具体例を示すと、「タバコの箱」は実画面サイズで適用範囲が０．２〜０．６ｍまでで、実画面サイズが０．５ｍに対応した大きさのイラストを、イラスト保存用メモリ２１に保存しておく。次に、算出した実画面サイズをもとに適用範囲にあるイラストをイラスト選択部２２で選択する（ステップＳ２５）。その後、選択されたイラストをイラストサイズ調整部２４で拡大あるいは縮小して、現在の実画面サイズに合ったサイズに調整する（ステップＳ２６）。
【００３８】
図１２を用いて具体例を示すと、算出された実画像サイズが０．３ｍであったとき、イラストとして「タバコの箱」が選択される。「タバコの箱」は、実画像サイズが０．５ｍのときに対応したサイズで保存されているので、実画像サイズが０．３ｍのときには、保存されているイラストを６０％縮小して対応させる。サイズ調整を行ったイラストは画像合成用ＤＲＡＭ３０に記録され、画像データコントローラ１０６でモニタリング画像と合成し（ステップＳ２７）、画像表示装置１０８に表示する（ステップＳ２８）。
【００３９】
その後、実画像サイズの変化を検出できるように、測距データと倍率データの取得は、ある定めた頻度で行う（ステップＳ２９）。
データ取得の頻度は、すべての条件で固定であってもよいし、ズーム動作中は細かく、など条件によって変化をつけてもよい。また取得の頻度をユーザーが設定できてもよい。もし、ズーム動作や被写体までの距離の変化により実画面サイズに変化があったとき、図９のフローチャートのループ１の部分を行い、図１３に示すように現在の実画像サイズに対応したサイズのイラストが表示できる。
【００４０】
また、前記ステップＳ２１において、ユーザーがイラスト表示モードを選択しない場合には（ステップＳ２１：ＮＯ）、イラスト表示をしないで、通常通り被写体のみを画像表示装置１０８に表示しての撮影を行う。
このようにすれば、実画面サイズの変化に応じてイラストサイズを対応させて変化させるので、ユーザーは状況にあった被写体の大きさを確認することができる。
【００４１】
（４）第４の実施形態…請求項４に対応
本実施形態では、図１２で示したような実画面サイズに対応させたイラストに対して、イラストの種類や大きさを指定すると、それに対応してカメラのズーム倍率を変化させ、実画面サイズを決定する機能を設ける場合である。
図１４に一連のフローチャートを示す。
図１４に示すように、イラスト表示を行う場合には（ステップＳ３１：ＹＥＳ）、イラスト表示モード内に、ユーザー自身がイラストを選択するモードを作り、ユーザーがそのモードを選択すると画像表示装置１０８の画面上にイラスト選択を促すメッセージと選択可能なイラストを表示する。ユーザーは、表示されたイラストから１つだけ選択しイラスト決定の信号を返す（ステップＳ３２）。
【００４２】
次に、カメラはイラストのサイズを求めるメッセージを表示する。イラストサイズは、ユーザーが具体的な数字を入力する方法でもよいし、撮影画像サイズの１／２，１／４，１／６のように幾つかの設定を予めカメラに保持させておき、ユーザーに選択させる方法でもよい（ステップＳ３３）。
イラストサイズの入力が終わると、測距データと倍率データの読み込みを行う（ステップＳ３４）。取得した測距データを使って、選択されたイラストを設定された大きさで表示できるように、ズーム倍率を変化させて対応させる（ステップＳ３５）。
【００４３】
具体例を示すと、イラストとして「タバコの箱」を選択し、実画面サイズに対してイラストが１／６の大きさになるように選択する。カメラはこの情報を受けて、図１２に示した「タバコの箱」の適応範囲から撮影画像サイズに対してイラストが１／６の大きさとなるポイントを算出し、実画面サイズを決定する。決定した実画面サイズと取得した測距データから必要なズーム倍率を算出しレンズを移動する。
レンズ位置決定後、イラストとモニタリング画像を合成し（ステップＳ３６）、画像表示装置１０８に表示する（ステップＳ３７）。
【００４４】
また、前記ステップＳ３１において、ユーザーがイラスト表示モードを選択しない場合には（ステップＳ３１：ＮＯ）、イラスト表示をしないで、通常通り被写体のみを画像表示装置１０８に表示しての撮影を行う。
このようにすれば、イラストの種類とイラストサイズの入力から実画面サイズを調整することができることより、ユーザーは自らが希望する被写体の大きさで容易に撮影することができる。
【００４５】
【発明の効果】
以上説明したように本発明によれば、以下の効果を発揮することができる。
請求項１記載の発明によれば、モニタリング画像に大きさの既知なイラストを表示することにより、ユーザーは表示されたイラストと被写体の大きさを比較することで容易に被写体の大きさを判断することができる。また、表示されたイラストを基準にして、画像の中で被写体をどの程度の大きさにするかを決める目安とすることができ、撮影技術の向上につながる。さらに、イラストに大きさの既知な身近なものを用いることにより、撮影作業に親近感を抱き、娯楽性が増す。
【００４６】
請求項２記載の発明によれば、大きさの既知なイラストの表示位置をユーザーが任意に設定できることにより、イラストと被写体の大きさを比較したいときイラストを被写体に近づけることができ、容易に大きさを比較することができる。
また、イラストが被写体像を遮る場合において、ユーザーがイラストを任意の位置に移動できることでイラスト表示を適切な位置にすることができる。
請求項３記載の発明によれば、実画面サイズの変化に応じてイラストサイズを対応させて変化させることにより、ユーザーは状況にあった被写体の大きさを確認することができる。また、ズーム動作などによる実画面サイズの変化をイラストサイズで連続的に確認することで、どの程度のズーム倍率の変化なのかなど撮影条件の変化を容易に捉えることができる。
【００４７】
請求項４記載の発明によれば、イラストの種類とイラストサイズの入力から実画面サイズを調整することができることより、ユーザーは自らが希望する被写体の大きさで容易に撮影することができる。また、実画面サイズを簡単に設定できることにより、実画面サイズの同じ画像を容易に撮影でき、同様に撮影した実画面サイズの等しい画像と被写体の大きさなどを比較することが可能となる。
【図面の簡単な説明】
【図１】本発明の各実施形態を適用するデジタルカメラの基本構成のブロック図である。
【図２】本発明の第１の実施形態における、被写体の大きさを判断するためのイラスト表示処理を含む一連の処理を示したフローチャートである。
【図３】同第１の実施形態における、イラスト調整回路とその周辺部のブロック図である。
【図４】同第１の実施形態における、被写体からカメラまでの距離（測距データ）とズーム倍率（倍率データ）に対応させた既知物品のイラストの一例である。
【図５】同第１の実施形態における、画像データコントローラとその周辺部のブロック図である。
【図６】同第１の実施形態における、モニタリング画像（アナログ式掛時計）とイラスト画像（タバコの箱）を重ねて画像合成を行う場合の概念図である。
【図７】同第２の実施形態における、イラスト表示位置をユーザーが任意に指定できる処理を含む一連の処理を示したフローチャートである。
【図８】同第２の実施形態における、イラスト調整回路とその周辺部のブロック図である。
【図９】同第３の実施形態における、ズーム倍率に応じてイラストサイズを変化させる処理を含む一連の処理を示したフローチャートである。
【図１０】同第３の実施形態における、イラスト調整回路とその周辺部のブロック図である。
【図１１】同第３の実施形態における、実画面サイズを説明する図である。
【図１２】同第３の実施形態における、実画面サイズとイラスト物品との適用関係を説明する図である。
【図１３】同第３の実施形態における、現在の実画像サイズに対応したサイズのイラストを示した図である。
【図１４】
同第４の実施形態における、一連の処理を示したフローチャートである。
【図１５】従来の一般的なデジタルカメラの構成を示すブロック図である。
【図１６】従来の一般的なデジタルカメラの画像処理のブロック図である。
【符号の説明】
ＤＣ０…従来のデジタルカメラ
ＤＣ…本発明の各実施形態を適用するデジタルカメラ
１０…測距装置
２０，２０Ａ，２０Ｂ，２０Ｃ…イラスト調整回路
２１…イラスト保存用メモリ
２２…イラスト選択部
２３…イラスト位置設定部
２４…実画面サイズ比較部
２５…イラストサイズ調整部
３０…画像合成用ＤＲＡＭ
１０１…光学レンズ
１０１ａ…レンズ駆動回路
１０２…撮像素子
１０３…メカシャッタ
１０３ａ…シャッタ駆動回路
１０４…Ｓ／Ｈ回路
１０５…Ａ／Ｄ回路
１０６…画像データコントローラ
１０６ａ…Ｒ，Ｇ，Ｂ補間
１０６ｂ…ガンマ補正
１０６ｃ…ＹＵＶ変換
１０６ｄ…間引き処理
１０７…ＤＲＡＭ
１０８…画像表示装置
１０９…画像圧縮回路
１１０…画像記録メディア
１１１…ＥＥＰＲＯＭ
１１２…システムコントローラ
１１３…操作スイッチ
１１４…タイミング発生器
【図１】
2004064504.tif 000003
【図２】
2004064504.tif 000004
【図３】
2004064504.tif 000005
【図４】
2004064504.tif 000006
【図５】
2004064504.tif 000007
【図６】
2004064504.tif 000008
【図７】
2004064504.tif 000009
【図８】
2004064504.tif 000010
【図９】
2004064504.tif 000011
【図１０】
2004064504.tif 000012
【図１１】
2004064504.tif 000013
【図１２】
2004064504.tif 000014
【図１３】
2004064504.tif 000015
【図１４】
2004064504.tif 000016
【図１５】
2004064504.tif 000017
【図１６】
2004064504.tif 000018